(57)【要約】【課題】  容易にスピーカーの着脱することが可能であると共に、スピーカーの着脱を繰り返し行っても接触不良を防止することができる外部スピーカー付き電子機器を提供する。【解決手段】  キャビネット１１の係止孔１６に外部スピーカー３０の係止爪３３を挿入するとともに、キャビネット１１側に設けた接続端子３７を外部スピーカー３０側に設けた接続ジャック２０に挿入する。接続ジャック２０は、付勢手段たるばね２３の付勢力により押圧され、接続端子３７と係合した位置で保持される。そして、係止孔１６に係止爪３３を係合させるために外部スピーカー３０をスライドさせる。この時、ばね２３に抗して接続ジャック２０が外部スピーカー３０の移動方向に沿って移動する。これにより、外部スピーカー３０のスライド移動を妨げることなく、接続端子３７の接続ピン３８とを接続できる。【選択図】      図２
2005204211.tif 000002
【特許請求の範囲】
【請求項１】
電子機器本体の外形を形成するキャビネット内に、外部スピーカーを接続するための接続ジャックを備え、この接続ジャックと前記外部スピーカーに備えられた接続端子を接続した状態で前記キャビネットに対して前記外部スピーカーをスライドさせて該外部スピーカーに形成する係止爪を前記キャビネットに形成する係止孔に係止して前記外部スピーカーを前記キャビネットに着脱自在に固定する外部スピーカー付き電子機器において、前記外部スピーカーの取り付け時に接続された前記接続端子または接続ジャックの内のいずれか一方を、前記外部スピーカーのスライド方向に沿って可動自在に案内するとともに、前記接続端子または接続ジャックを前記外部スピーカーのスライド方向に対して反対方向に付勢する付勢手段を設けたことを特徴とする外部スピーカー付き電子機器。
【請求項２】
前記付勢手段は、ばねであることを特徴とする請求項１記載の外部スピーカー付き電子機器。
【請求項３】
前記キャビネットの内方であると共にこのキャビネットと一体に形成されるガイド部材の端部に前記接続ジャックをスライド自在に設けるとともに、前記ガイド部材に前記ばねを外装し、前記接続ジャックと前記接続ピンの嵌合時に、これら嵌合する方向と直交する方向に前記ばねによって前記接続ジャックを付勢して前記接続端子を押圧して成ることを特徴とする請求項２記載の外部スピーカー付き電子機器。
【請求項４】
前記外部スピーカーの筐体外部に接続端子を突設させ、前記接続ジャックに前記接続端子を接続することを特徴とする請求項３記載の外部スピーカー付き電子機器。
【発明の詳細な説明】
【技術分野】
【０００１】
本発明は、外部スピーカー付き電子機器、特にテレビジョン受像機やコンピュータ機器のディスプレイ装置などの電子機器の外部に着脱可能に取り付けられる外部スピーカー付き電子機器に関する。
【背景技術】
【０００２】
従来、ブラウン管などの表示装置を備えたテレビジョン受像機などの電子機器においては、電子機器の本体に一体的に設けられた音声や音響などを出力するためのスピーカーを備えた電子機器が用いられている。
【０００３】
また、近年においてはブラウン管に代えて液晶などの表示装置を備えたテレビジョン受像機が使用されてきており、これに伴いテレビジョン受像機の本体は薄型化されてきている。
【０００４】
このような電子機器においては、通常、スピーカーを電子機器本体に内蔵していることから、本体が薄型化され、これに伴うスペースの問題によりスピーカーまでが小型で薄型化しなければならない。このような場合、比較的大型なスピーカーを内蔵する機器に比べ小型のスピーカーにおいては良質な音声を出力するには適していないので、良質な音声を出力可能な電子機器を消費者に提供できるものとは言えるものではなかった。
【０００５】
また、このような課題に対処するために、特許文献１〜３には、機器本体の外部に別体のスピーカーを取り付けることができるものが開示されている。例えば、特許文献１においては、モニター等の電気機器の本体の外部に、スピーカー取付装置を介してスピーカーを取り付けることができ、スピーカー取付装置の裏面に両面粘着テープによりスピーカーを電機機器の本体に貼着して確実に固定している。しかし、これには電子機器の外部にスピーカーを外付けすることにより、スピーカーの背面に電子機器と接続するために設けられた配線が外部に向き出しになってしまう。また、特許文献３などには、機器の本体に対し容易に着脱可能なスピーカーが開示されている。
【０００６】
【特許文献１】特開平１１−４４９０号公報
【特許文献２】特開平９−５５９９０号公報
【特許文献３】特開平７−１７７５９２号公報
【発明の開示】
【発明が解決しようとする課題】
【０００７】
上記特許文献１においては、一度スピーカーを取り付けてしまうと、両面テープを剥いでスピーカーを取り外すことは難しく、容易にスピーカーを取り外すことができないので、例えば、スピーカーを取り付けてしまった後に電気機器を移動させなければならなくなった際に、電気機器の外部にスピーカーやスピーカー取付装置が突出するので、突出したスピーカーなどが壁などに接触して容易に移動することができなかった。また、特許文献１〜３においては、スピーカーと電機機器を接続する配線が外部に剥き出しになっているのでデザイン的にも優れていない。また、このような外部スピーカーにおいては、電機機器本体からスピーカーを繰り返し着脱することは可能ではあるものの、スピーカーと機器とを電気的に配線や端子などにより接続する必要があるので、スピーカーの着脱を繰り返し行うことにより、接続部の接触が磨耗などして接触不良を起こし、スピーカーから音声を出力することができなくなるといった故障を誘発するものであった。
【０００８】
本発明は上記課題を鑑みてなされたものであり、配線を電子機器内部に収納することにより美観的に優れ、容易にスピーカーの着脱することが可能であると共に、スピーカーの着脱を繰り返し行っても接触不良などの故障を防止することを可能とする外部スピーカー付き電子機器を提供することを目的とする。
【課題を解決するための手段】
【０００９】
請求項１に係る外部スピーカー付き電子機器は、電子機器本体の外形を形成するキャビネット内に、外部スピーカーを接続するための接続ジャックを備え、この接続ジャックと前記外部スピーカーに備えられた接続端子を接続した状態で前記キャビネットに対して前記外部スピーカーをスライドさせて該外部スピーカーに形成する係止爪を前記キャビネットに形成する係止孔に係止して前記外部スピーカーを前記キャビネットに着脱自在に固定する外部スピーカー付き電子機器において、前記外部スピーカーの取り付け時に接続された前記接続端子または接続ジャックの内のいずれか一方を、前記外部スピーカーのスライド方向に沿って可動自在に案内するとともに、前記接続端子または接続ジャックを前記外部スピーカーのスライド方向に対して反対方向に付勢する付勢手段を設けたことを特徴とする。
【００１０】
請求項１の構成によれば、接続ジャックと接続端子を接続した状態でキャビネットに対して外部スピーカーをスライドさせて外部スピーカーをキャビネットに固定する際、前記外部スピーカーの移動に追従して接続端子または接続ジャックの内のいずれか一方が移動するので外部スピーカーの固定時に接続ジャックに無理な力が加わらない。また、外部スピーカーの固定後において、接続された接続端子と接続ジャックのいずれか一方を、付勢手段により押圧するから、接続端子と接続ジャックの間に繰り返し着脱を行うことにより隙間が生じても、これらの接続を確実に接触させ接続することができ、接触不良などによる故障を確実に防止できる。
【００１１】
請求項２に係る外部スピーカー付き電子機器は、請求項１記載の外部スピーカー付き電子機器において、前記付勢手段は、ばねであることを特徴とする。
【００１２】
請求項２の構成によれば、前記付勢手段をばねとしたから、このばねの付勢力を用いて、接続端子と接続ジャックの間に繰り返し着脱を行うことにより隙間が生じても、これらの接続を確実に接触させ接続することができる。
【００１３】
請求項３に係る外部スピーカー付き電子機器は、請求項２記載の外部スピーカー付き電子機器において、前記キャビネットの内方であると共にこのキャビネットと一体に形成されるガイド部材の端部に前記接続ジャックをスライド自在に設けるとともに、前記ガイド部材に前記ばねを外装し、前記接続ジャックと前記接続端子の嵌合時に、これら嵌合する方向と直交する方向に前記ばねによって前記接続ジャックを付勢して前記接続端子を押圧して成ることを特徴とする。
【００１４】
請求項３の構成によれば、接続ジャックに接続端子を接続する方向に対し、ばねの付勢力により接続ジャックを直交する方向に押圧するから、接続端子と接続ジャックの嵌合する部位にばねの押圧力を生じさせ、接続ジャックに接続端子を確実に保持することができる。
【００１５】
請求項４に係る外部スピーカー付き電子機器は、請求項３記載の外部スピーカー付き電子機器において、前記外部スピーカーの筐体外部に接続端子を突設させ、前記接続ジャックに前記接続端子を接続することを特徴とする。
【００１６】
請求項４の構成によれば、キャビネット内方に備えられた接続ジャックに接続端子を接続するから、電子機器本体及び外部スピーカー内に設けられた構成部品などを外部に露出することなく、接続ジャックに接続端子を接続することができる。これにより、例えば、外部スピーカーに接続される配線などを外部に備えた電子機器のように、使用者が接続されている配線に接触して、配線などの断線等を引き起こすことを回避することができると共に、意匠的にもすぐれた外部スピーカー付き電子機器を提供することができる。
【発明の効果】
【００１７】
請求項１の外部スピーカー付き電子機器の発明によれば、電子機器本体の外形を形成するキャビネット内に、外部スピーカーを接続するための接続ジャックを備え、この接続ジャックと前記外部スピーカーに備えられた接続端子を接続した状態で前記キャビネットに対して前記外部スピーカーをスライドさせて該外部スピーカーに形成する係止爪を前記キャビネットに形成する係止孔に係止して前記外部スピーカーを前記キャビネットに着脱自在に固定する外部スピーカー付き電子機器において、前記外部スピーカーの取り付け時に接続された前記接続端子または接続ジャックの内のいずれか一方を、前記外部スピーカーのスライド方向に沿って可動自在に案内するとともに、前記接続端子または接続ジャックを前記外部スピーカーのスライド方向に対して反対方向に付勢する付勢手段を設けたので、接続端子と接続ジャックの接続作業を簡略化でき、外部スピーカーの組付作業を効率的に行えるとともに、接続端子と接続ジャックの間に繰り返し着脱を行うことにより隙間が生じても、これらの接続を確実に接触させ接続することができ、接触不良などによる故障を確実に防止できる。
【００１８】
請求項２の外部スピーカー付き電子機器の発明によれば、請求項１において、前記付勢手段をばねとするので、接続端子と接続ジャックの間に繰り返し着脱を行うことにより隙間が生じても、これらの接続をばねの付勢力により押圧して、接触不良を誘発することを防止する。
【００１９】
請求項３の外部スピーカー付き電子機器の発明によれば、請求項２において、前記キャビネットの内方であると共にこのキャビネットと一体に形成されるガイド部材の端部に前記接続ジャックをスライド自在に設けるとともに、前記ガイド部材に前記ばねを外装し、前記接続ジャックと前記接続端子の嵌合時に、これら嵌合する方向と直交する方向に前記ばねによって前記接続ジャックを付勢して前記接続端子を押圧したので、接続端子と接続ジャックの嵌合する部位にばねの押圧力を生じさせ、接続ジャックに接続端子を確実に保持することができる。
【００２０】
請求項４の外部スピーカー付き電子機器の発明によれば、請求項３において、前記外部スピーカーの筐体外部に接続端子を突設させ、前記接続ジャックに前記接続端子を接続するので、キャビネット内方に備えられた接続ジャックに接続端子を接続するから、使用者が接続されている配線に接触して、半田付けなどにより接続されている配線などが引き抜かれたりするといった、断線等を引き起こすことを防止すると共に、意匠的に優れた外部スピーカー付き電子機器を提供することができる。
【発明を実施するための最良の形態】
【００２１】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２２】
図１は、本実施例における外部スピーカー付き電子機器の一例を示すテレビジョン受像機である。
【００２３】
電子機器本体たるテレビジョン受像機１０は、キャビネット１１を構成する前側キャビネット１２と後側キャビネット１３により全体を略箱型に形成し、前側キャビネット１２の前面には画像を表示する表示部１４を備えている。この表示部１４の下方には、複数の操作ボタン１５を設けており、これらの操作ボタン１５を操作することにより、電源のオン／オフなどの操作などを行うものである。
【００２４】
前側キャビネット１２には、後述する一対のスピーカーを係止する係止手段たる係止孔１６とその後方に離間してネジ１７を螺合するために設けられた取付孔１８を形成している。
【００２５】
前側キャビネット１２の係止孔１６と取付孔１８との略中間には長孔１９が形成されており、後述する外部スピーカー外方に突設する接続用ピンを長孔１９に挿通してキャビネット１１の内部に備えられた接続凹部を有する接続ジャック２０に嵌合し、これらを互いに接触させ電気的に接続できるようになっている。
【００２６】
また、前側キャビネット１２内には、この前側キャビネット１２と一体であって内方に突設する外形が略円柱型のガイド部材２１を形成すると共にその端部の周縁には補強リブ部２２が形成され、ガイド部材２１の他方の端部には、後述する外部スピーカーの接続ピンを接続するための接続ジャック２０を備えている。
【００２７】
この接続ジャック２０は、ガイド部材２１の長手方向に沿って可動可能にガイド部材２１を覆うようにして設けられていて、前記ガイド部材２１には、接続ジャック２０と補強リブ２２との間の位置して接続ジャック２０の付勢手段たるばね２３が遊嵌され、接続ジャック２０は、このばね２３の付勢力により、図２に示す矢印の方向、すなわち外部スピーカーの後方側に付勢されている。
【００２８】
３０は外部スピーカーであり、この外部スピーカー３０の筐体３１の内方には、電気信号を音声に代えて出力するスピーカーユニット３２を備え、この外部スピーカー３０の一方の下端には、前側キャビネット１２の係止孔１６に係止するために係止爪３３を形成している。また、他方の下端にはねじ孔３４を形成している。そして、前記係止爪３３を前記係止孔１６に挿入し、前記前側キャビネット１２に対して前記外部スピーカー３０を前方にスライドさせることによって係止爪３３を係止孔１６に係止する。これにより、前記ねじ孔３４と取付孔１８との位置が一致し、ねじ孔３４に挿入したビス１７を取付孔１８にねじ込むことによって外部スピーカー３０をキャビネット１１に確実に取り付けることができる。
【００２９】
また、キャビネット１１側の外部スピーカー３０の内部には、外部スピーカー３０の筐体３１と一体に支持部材３５を形成し、この支持部材３５は、外部スピーカー３０の前側から後方に向かってスピーカーの略中央部まで水平方向に延設して設けられている。そして、この支持部材３５には、配線３６などによりスピーカーユニット３２に接続される接続端子３７が取り付けられており、この接続端子３７は、外部スピーカー３０の取り付けられるキャビネット１１側に突設して設けられる接続ピン３８を有し、この接続ピン３８を接続ジャック２０に、繰り返し抜き差しして接続することができる。なお、接続ピン３８は、接続ジャック２０に対して嵌合させ着脱自在に接続することができるので、接続状態においては、接続端子３７と外部スピーカー３０のキャビネット１１内に設けられている回路基板４０などの各種構成装置などとは、配線４１などを介して電気的に接続されている。
【００３０】
図５は、テレビジョン受像機１０に外部スピーカーを取り付けるための手順を示す説明図であり、同図の（a）から（d）を参照しながら以下にその作用を説明する。
テレビジョン受像機１０のキャビネット１１に外部スピーカー３０を取り付けるために、図５（a）に示すように、接続ジャック２０の近傍に外部スピーカー３０の接続ピン３８を移動させ、次に、図５（b）に示すように接続ピン３８を接続ジャック２０に挿入させ嵌合することにより電気的な接続を行う。
【００３１】
そして、図５（c）に示すように、接続ピン３８を接続ジャック２０に確実に挿入させ、このような接続ピン３８と接続ジャック２０とを電気的に接続された状態においては、配線３６，４１などによりスピーカーユニット３２と音声回路等を構成する回路基板４０などや、図示しない各種機能を有する装置とが接続されるので、使用者は、操作ボタン１５の操作により音声信号などをスピーカーから音声出力することができる。
【００３２】
なお、接続ピン３８を接続ジャック２０に挿入して嵌合した状態においては、接続ジャック２０は、付勢手段たるばね２３の付勢力により移動することがないよう付勢されて押圧されて保持されているので、例えば、テレビジョン受像機１０などの電子機器の接続ジャック２０に対して、外部スピーカー３０の接続ピンを容易に嵌入して接続することができる。
【００３３】
次に、図５（d）に示すように、接続ジャック２０に接続ピン３８を差し込んで嵌合させた状態において、係止孔１６に係止爪３３を係合させるために外部スピーカーをスライド移動する。この移動に伴い、ばね２３の付勢力に抗して接続ピン３８と共に接続ジャック２０は移動される。そして、キャビネット１１の係止孔１６に外部スピーカー３０の係止爪３３を係止させ、取付孔１８にねじ孔３４を合致させた状態で、ねじ１７などにより、テレビジョン受像機１０に外部スピーカー３０を確実に取り付けることができる。
【００３４】
なお、このように電子機器であるテレビジョン受像機１０のキャビネット１１に外部スピーカー３０を取り付けた状態においては、ばね２３の付勢力が、接続ジャック２０に嵌合されている接続ピン３８に対し、接続ピン３８の差し込まれた方向と直交する方向に可動させるようにして接続ジャック２０を押圧して保持することから、接続ジャック２０と接続ピン３８とをばねの付勢力を用いて押圧することにより、これらを互いに確実に接触させ、例えば、接続ジャック２０と接続ピン３８のように嵌合して接続することを繰り返し行うことによって磨耗により嵌合部に隙間などが生じても、接触不良などの故障を回避することができ、これにより、外部スピーカー３０から音声が出力できなくなるといった故障を回避することができると共に確実に良質の音声を出力することができる。
【００３５】
また、テレビジョン受像機１０から外部スピーカー３０を取り外す際には、前述した手順と逆の手順で順次行うことにより、外部スピーカー３０を容易に取り外すことができるので、テレビジョン受像機１０から外部スピーカー３０を繰り返し着脱することができる。
【００３６】
なお、本実施例においては、接続ジャック２０への付勢手段を螺旋状のばね２３を用いているが、このようなばね２３に限定するものではなく、弾性体などにより接続ジャックを付勢する構造のものであればよい。
【００３７】
また、図１〜５における一実施例においては、一対のスピーカー３０は、テレビジョン受像機１０のキャビネット１１の上面に取り付けられている場合を示しているが、図６に示すように、これらのスピーカー３０をキャビネット１１の両側面にそれぞれ取り付ける構造であってもよい。
【００３８】
以上のように、本発明に係る外部スピーカー付き電子機器は、電子機器本体たるテレビジョン受像機１０の外形を形成するキャビネット１１内に、外部スピーカー３０を接続するための接続ジャック２０を備え、この接続ジャック２０と前記外部スピーカー３０に備えられた接続端子３７を接続した状態で前記キャビネット１１に対して前記外部スピーカー３０をスライドさせて該外部スピーカー３０に形成する係止爪３３を前記キャビネット１１に形成する係止孔１６に係止して前記外部スピーカー３０を前記キャビネット１１に着脱自在に固定する外部スピーカー付き電子機器において、前記外部スピーカー３０の取り付け時に接続された前記接続端子３７または接続ジャック２０の内のいずれか一方を、前記外部スピーカー３０のスライド方向に沿って可動自在に案内するとともに、前記接続端子３７または接続ジャック２０を前記外部スピーカー３０のスライド方向に対して反対方向に付勢する付勢手段として例えば、ばね２３を設けたので、外部スピーカー３０をキャビネット１１に固定する際、係止爪３３を係止孔１６に挿入した状態で外部スピーカー３０をキャビネット１１に沿って移動させて係止爪３３と係止孔１６とを係止することによって外部スピーカー３０を固定しているが、接続ジャック２０又は接続端子３７は外部スピーカー３０の移動方向に沿って可動自在に組付けられているので、接続ジャック２０と接続端子３７との接続によって外部スピーカー３０の移動が妨げられることはない。これにより、外部スピーカー３０の組付作業を効率的に行うことができるとともに、外部スピーカー３０の固定時において接続ジャック２０と接続端子３７の双方に無理な力が加わらないから、接続ジャック２０と接続端子３７の接続状態を安定した状態で保つことができる。さらに、接続されたこれら接続端子３７と接続ジャック２０のいずれか一方を、例えば螺旋状のばね２３などの付勢手段により押圧するから、接続端子３７と接続ジャック２０との間に繰り返し着脱を行うことにより磨耗して隙間が生じたとしても、これらの接続を確実に行うことができ、電子機器の接触不良などによる故障を確実に防止できる。
【００３９】
さらに、キャビネット１１の内方であって、かつこのキャビネット１１と一体に形成されるガイド部材２１の端部に接続ジャック２０をスライド自在に設けるとともに、前記ガイド部材２１にばね２３を外装し、前記接続ジャック２０と接続ピン３８の嵌合時に、これら嵌合する方向と直交する方向に前記ばね２３によって前記接続ジャック２０を付勢して前記接続ピン３８を押圧することにより、接続端子３７と接続ジャック２０との接触状態を安定した状態で維持すうことができ、これら接続端子３７と接続ジャック２０とを確実に接続することができる。
【００４０】
さらに、外部スピーカー３０の筐体３１の外部に接続端子３７を突設させ、テレビジョン受像機１０内に設けられた接続ジャック２０に、外部に突設する接続端子３７を接続するので、キャビネット１１内に備えられた接続ジャック２０に接続端子３７を接続できるから、電子機器本体であるテレビジョン受像機１０及び外部スピーカー３０内に設けられた配線３６，４１などの各種構成部品などを、キャビネット１１や筐体３１の外部に露出することなく、接続ジャック２０に接続端子３７を接続することができる。このように、例えば、外部スピーカー３０に接続される配線などを外部スピーカー３０の後方などに備えた外部に取り付け可能な電子機器に比べ、機器を使用する使用者が、外部スピーカー３０に接続されている配線などに接触して、半田付けなどにより接続されている配線などが引き抜かれたりするといった、すなわち断線等を引き起こすことを回避することができると共に、意匠的にもすぐれた外部スピーカー付き電子機器を提供することができる。
【図面の簡単な説明】
【００４１】
【図１】本発明に用いる外部スピーカーを取り付けられたテレビジョン受像機の斜視図である。
【図２】同上、テレビジョン受像機に外部スピーカーを取り付けた状態を示す縦断面図である。
【図３】同上、テレビジョン受像機に外部スピーカーを取り外された状態を示す縦断面図である。
【図４】同上、テレビジョン受像機に外部スピーカーを取り付けた状態を示す平面図である。
【図５】同上、テレビジョン受像機１０に外部スピーカーを取り付けるための手順を示す説明図である。
【図６】外部スピーカーをテレビジョン受像機の両側面に備えた変形例を示す斜視図である。
【符号の説明】
【００４２】
１０  テレビジョン受像機（電子機器本体）
１１  キャビネット
１６  係止孔
２０  接続ジャック
２１  ガイド部材
２３  ばね（付勢手段）
３０  外部スピーカー
３３  係止爪
３７  接続端子
【図１】
2005204211.tif 000003
【図２】
2005204211.tif 000004
【図３】
2005204211.tif 000005
【図４】
2005204211.tif 000006
【図５】
2005204211.tif 000007
【図６】
2005204211.tif 000008